(57)【要約】【課題】ケーブルの長さが余る場合であっても、ケーブルが邪魔になることを防止する医療用検査装置を提供する。【解決手段】医療用検査装置１には、軸状の支柱２０の下端部に台座部２１が配置されており、上端部にモニターが配設されるモニタースタンド６が設けられている。このモニタースタンド６の台座部２１には、ケーブル４を収納するケーブル収納部３０が設けられている。【選択図】    図３
2004337443.tif 000002
【特許請求の範囲】
【請求項１】
軸状の支柱の下端部に台座部が配置されており、前記支柱の上端部に表示装置が配設されるモニタースタンドを設け、
前記台座部にケーブルを収納するケーブル収納部を設けたことを特徴とする医療用検査装置。
【請求項２】
前記ケーブル収納部は、前記支柱の周囲にケーブルを巻き付けた状態で収納するケーブル巻装部と、
このケーブル巻装部の周囲に配置され、前記支柱の周囲に巻き付けたケーブルの広がりを規制するケーブル位置規制部材と
を具備することを特徴とする請求項１に記載の医療用検査装置。
【請求項３】
前記ケーブル位置規制部材は、前記支柱の周囲に鉛直方向に突設させた複数本の棒状部材によって形成されていることを特徴とする請求項２に記載の医療用検査装置。
【発明の詳細な説明】
【０００１】
【発明の属する技術分野】
この発明は、例えば手術時や検査時に使用される医療用検査装置に関する。
【０００２】
【従来の技術】
医療用検査装置として内視鏡を用いた手術や検査を行なう場合、光源装置やカメラコントロールユニット（以下、ＣＣＵという）などを配設した作業台ユニットが使用される。例えば特許文献１に開示されているように、手術や検査を行なう場合、術者が観察するモニターを載置するためにモニター台が使用される。このモニター台には、作業台ユニットのＣＣＵからケーブルが導かれ、ＣＣＵとモニターとが接続されてモニター上に内視鏡の観察像が表示される。このような手術や検査に用いられるケーブルは、作業台ユニットに対してモニター台を所望の位置に移動させることがあるため、十分に長いものである。
【０００３】
【特許文献１】
特開平４−２４６３５５号公報
【０００４】
【発明が解決しようとする課題】
しかし、モニター台と作業台ユニットとの間の距離によっては、ケーブルが長すぎて余ることがある。このため、ケーブルの余り分をモニター台と作業台ユニットとの間の適当な位置に配置する必要がある。そうすると、ケーブルを配置するためのスペースが必要であるとともに、このケーブルが手術時や検査時に邪魔になる可能性がある。
【０００５】
この発明は、このような課題を解決するためになされたもので、長いケーブルが余る場合であっても、ケーブルが邪魔になることを防止する医療用検査装置を提供することにある。
【０００６】
【課題を解決するための手段】
上記課題を解決するために、この発明の医療用検査装置にあっては、軸状の支柱の下端部に台座部が配置されており、前記支柱の上端部に表示装置が配設されるモニタースタンドを設け、前記台座部にケーブルを収納するケーブル収納部を設けたことを第１の特徴とする。
このような構成を有するので、ケーブルをモニタースタンドの下部で収納することができ、ケーブルの長さが余る場合であっても、余ったケーブルが邪魔になることが極力防止される。
【０００７】
また、前記ケーブル収納部は、好ましくは、前記支柱の周囲にケーブルを巻き付けた状態で収納するケーブル巻装部と、このケーブル巻装部の周囲に配置され、前記支柱の周囲に巻き付けたケーブルの広がりを規制するケーブル位置規制部材とを備えていることを第２の特徴とする。
このような構成を有するので、巻き付けたケーブルが拡がることが防止され、ケーブルが邪魔になることが極力防止される。
【０００８】
また、前記ケーブル位置規制部材は、好ましくは、前記支柱の周囲に鉛直方向に突設させた複数本の棒状部材によって形成されていることを第３の特徴とする。
このような構成を有するので、ケーブルを複数の位置で支持することによって、ケーブルが拡がることが極力防止される。
【０００９】
【発明の実施の形態】
以下、図面を参照しながらこの発明の好ましい実施の形態について説明する。
【００１０】
図１に示すように、この実施の形態に係わる医療用検査装置１は、例えば内視鏡用の作業台ユニット３と、この作業台ユニット３からケーブル４が導かれたモニタースタンド６とを備えている。このモニタースタンド６は、術者に観察される後述するモニター６０が着脱自在に装着され、上述したケーブル４のコネクタとモニター６０のコネクタ受部とが接続される。なお、ケーブル４は、作業台ユニット３に対してモニタースタンド６を所望の位置に移動させることがあるため、十分に長いものである。
【００１１】
作業台ユニット３には、図示しないフレームと、このフレームの正面を覆う正面パネル８ａと、フレームの側面を覆う側面パネル８ｂと、フレームの上面に配設される作業台９とが設けられている。この作業台ユニット３のフレーム内には、それぞれ内視鏡のユニバーサルケーブルの端部に設けられたコネクタに着脱自在に接続される光源装置およびカメラコントロールユニット（以下、ＣＣＵという）が配設されている。この作業台ユニット３のフレーム内には、さらに、例えばビデオカセットレコーダーなどの機器が配設される。
【００１２】
内視鏡のコネクタと光源装置およびＣＣＵとを接続する接続口１１，１２は、作業台ユニット３の外部に露出されている。また、作業台ユニット３の上側には、作業台ユニット３内に内蔵される各機器に接続されたタッチパネル式の操作盤１４が配設されている。ＣＣＵなど各機器の操作は、全てこの操作盤１４を操作することによって行われるため、各機器は、作業台ユニット３からその接続口１１，１２のみ露出されている。
【００１３】
図２に示すように、この操作盤１４の後方側であって上方の位置には、着脱式の液晶ディスプレイであるモニター１５がモニター支持部（モニター装着部）１５ａに配設される。このモニター１５はＣＣＵに接続され、操作盤１４で操作されて所望の画像が表示される。このため、術者には、内視鏡の挿入部の先端で得られる画像がこのモニター１５を通して観察される。
【００１４】
一方、図３に示すように、モニタースタンド６は、軸状の支柱２０と、この支柱２０の下端部に配設された台座部２１とを備えている。支柱２０は、例えばステンレス材など金属材製の直管で形成されている。
【００１５】
台座部２１は平坦な床面に支持され、１つの円周上に配列された５つのキャスター２５と、これらキャスター２５に向かって中心から放射状に延び、それぞれのキャスター２５を先端部で支持した５本脚の脚部２６とを備えている。それぞれ隣接するキャスター２５は、互いに等間隔に配列されている。このため、脚部２６の先端部の間隔は、等間隔である。また、各キャスター２５は、脚部２６のそれぞれ先端部の下側で支柱２０と平行な軸周りに回転可能に支持されている。なお、５つのキャスター２５には、それぞれスタンド６の移動を停止するためのストッパー機能が設けられていることが好ましい。このため、５つのキャスター２５のうち、適当な２つのキャスター２５のストッパー機能を働かせると、スタンド６が所望の位置で止められる。
【００１６】
このような台座部２１の脚部２６の中心には、支柱２０の下端部が支持されている。すなわち、支柱２０が脚部２６の中心から上方に延びている。脚部２６と支柱２０とは、例えば溶接やネジ止めによって互いに固定されている。
【００１７】
この脚部２６の下側には、モニタースタンド６の安定性を高めるための円盤状のバラスト２８がブラケット２９を介して支柱２０と同じ軸上を中心として固定されている。このバラスト２８は、脚部２６の中心から先端までの長さよりも小さく、キャスター２５の回転を阻害しない半径を有する。また、ブラケット２９は、脚部２６の下面にネジ止めされて固定されているとともに、バラスト２８の上面に例えばネジ止めされて固定されている。
【００１８】
また、台座部２１には、例えば内視鏡用の作業台ユニット３のＣＣＵから延び、このスタンド６（支柱２０）の上端部に配設される後述する薄型モニター６０に接続されるケーブル４を収納するためのケーブル収納部３０が設けられている。このケーブル収納部３０には、脚部２６とバラスト２８とによる５つの略扇形状のスペース３１がバラスト２８の上方に形成されている。５つのスペース３１のうち、４つのスペース３１には、支柱２０の軸方向に平行で、上方に向かってそれぞれ所定の長さを有する規制棒（ケーブル位置規制部材）３３がバラスト２８の中心に対して１つの円周上に等間隔に配列されている。この実施の形態では、規制棒３３は、１つのスペース３１に１つずつ、４つ設けられている。これらの規制棒３３の基端部は、雄ネジ部が形成されている。このため、これらの規制棒３３は、ブラケット２９を貫通し、バラスト２８の上面にネジ止めによって装着されている。これらの規制棒３３は、脚部２６の上面からさらに上方に例えば１０ｃｍ程度の長さを有する。すなわち、規制棒３３は、脚部２６の上面からさらに上方に突出している。
【００１９】
図４に示すように、支柱２０の外周には、上述したケーブル４が巻き付けられ、脚部２６の上面には、ケーブル４が載置される。このため、支柱２０の下端部および脚部２６の上面は、ケーブル巻装部として形成されている。このとき、規制棒３３は、ケーブル巻装部に巻き付けられたケーブル４の広がりを防止（規制）する。なお、規制棒３３が配設されていない１つのスペース３１には、ケーブル４をスタンド６の外方からケーブル巻装部に導くケーブル導入部３４がブラケット２９上に形成されている。このケーブル導入部３４は、縦方向が短く、横方向が長い、断面が横長の長方形状の筒として形成されている。このため、ケーブル４が複数配設される場合であっても、ケーブル４が横方向に並設されるのでケーブル導入部３４で絡まることなく、ケーブル巻装部に導かれる。このケーブル巻装部に導かれたケーブル４のコネクタは、支柱２０に沿って上方に誘導される。
【００２０】
図３に示すように、この支柱２０の軸方向の中途部には、取手部４０が設けられている。この取手部４０は、術者が操作し易いように、例えば術者の腰の高さ辺りか、それよりもやや上側に設けられている。この取手部４０は、支柱２０の軸方向に対して直交するとともに、この支柱２０の中心から互いに反対方向に延出された１対のアーム４１と、これらアーム４１の先端に設けられた手掛け用のリング４２とを備えている。このリング４２は円筒状に形成され、術者はこのリング４２を把持してモニタースタンド６を所望の位置に移動させる。
【００２１】
アーム４１の基端部は、支柱２０の外周面に溶接されているとともに、アーム４１の先端部は、リング４２の支柱２０に近接する外周面に溶接されている。これらアーム４１は、例えばコ字型や、中空な角材で形成されている。特に、アーム４１の上面は上述した床面に対して水平で、側面は上面に対して直交している。アーム４１の側面には、ネジ穴４３が設けられている。
【００２２】
図５に示すように、アーム４１には、例えば患者が術中に観察する小型液晶モニター４４を取り付けるための治具４５がネジ４６によって装着されている。この治具４５は、アーム４１の上面および側面に沿って配設されている。そして、ネジ４６は、治具４５を貫通してアーム４１のネジ穴４３（図３参照）に螺着されている。このため、アーム４１に対して治具４５が動くことが防止され、確実に固定される。この治具４５には、モニターアーム４８の基端部が取り付けられ、このモニターアーム４８の先端部には、小型液晶モニター４４が装着されている。このモニターアーム４８は、適当な硬さを有するとともに、適当な方向に曲げられることが好ましい。
【００２３】
また、他のアーム４１には、例えば血圧計５０などの検査装置を取手部４０上に設置するための治具５１がネジ５２によって装着されている。この治具５１は、アーム４１の上面および側面に沿って配設されている。そして、ネジ５２は、治具５１を貫通してアーム４１のネジ穴４３（図３参照）に螺着されている。このため、アーム４１に対して治具５１が動くことが防止され、確実に固定される。この治具５１には、血圧計５０が載置される載置台５４が設けられている。この載置台５４は、治具５１がアーム４１に装着されると、取手部４０のリング４２の上で水平に支持される。この載置台５４上には、血圧計５０が載置される。
【００２４】
これら小型液晶モニター４４および血圧計５０の電源コードや信号ケーブルは、後述するモニター６０用のケーブル４と同様にモニタースタンド６の外方から導かれる。そして、これら電源コードや信号ケーブルは、アーム４１の下面やコ字状のアーム４１の内周面に沿って導かれる。このため、アーム４１の近傍は、外観上すっきりとしている。
【００２５】
なお、図５に示すように、支柱２０の中途部で、取手部４０の下側には、例えばケーブル４などを引掛けたり、後述するカバー９６を引掛けたりするための引掛け部材５６が設けられている。
【００２６】
図１に示すように、モニタースタンド６は、術者が術中に所望の部位を観察するため液晶モニターなどの軽量で薄型のモニター（表示装置）６０を支柱２０の上端部で支持する。図６に示すように、このモニター６０を支柱２０の上端部で支持するために、モニター６０には、スタンド装着部（モニター装着用アダプター）６２が設けられている。このスタンド装着部６２は、支柱２０の内径よりも僅かに小さい外径を有する例えばステンレス材など金属材製の短い直管からなる短管６３と、この短管６３の上端部に形成され、支柱２０の上端縁に当接されるストッパー部（フランジ部）６４とを備えている。短管６３を支柱２０の内部に挿入し、短管６３の外周面が支柱２０の内周面に当接されると、支柱２０の上端にストッパー部６４が当接され、支柱２０にスタンド装着部６２が着脱自在に装着される。なお、この短管６３およびストッパー部６４の外周には、術者が支柱２０の上端に着脱するときに保持し易いように、また、ケーブル４をモニター６０に容易に導けるようにカバー６６が設けられている。
【００２７】
ストッパー部６４には、モニター６０とこのスタンド装着部６２との間を接続する第１のブラケット７０の基端部が例えばネジ止めや溶接によって固定されている。第１のブラケット７０には、モニター６０とスタンド装着部６２との間に腕部７２が設けられている。この腕部７２は、スタンド装着部６２に接続される基端部からモニター６０に接続される先端部に向かうときにＬ字状に上方に向けて屈曲されている。なお、この腕部７２には、後述するタブ８６が配設される開口７２ａが設けられている。この腕部７２は、図７に示すように、断面がコ字状に形成され、ブラケット７０の強度が高められている。
【００２８】
図６に示すように、第１のブラケット７０の腕部７２の先端部には、羽根状に形成され、モニター６０の背面に装着される１対のモニター取付部７３が腕部７２に対して左右対称的に一体的に形成されている。これらモニター取付部７３は、コ字状の腕部７２の先端から所定の距離分だけ側方にそれぞれ略長方形状に突出されている。一方、このモニター６０の背面のほぼ中央部には、略四角錘台状に突出した平面台部７５が設けられている。このモニター６０の平面台部７５には、複数のネジ穴（図示せず）が設けられている。これらネジ穴は、正方形状の四隅に形成されている。そして、上述したモニター取付部７３には、モニター６０の平面台部７５のネジ穴に対応する位置にネジ穴（図示せず）が設けられている。モニター取付部７３のネジ穴をモニター６０の平面台部７５のネジ穴に一致させて４つのネジ７７をモニター６０の平面台部７５のネジ穴に螺合させ、第１のブラケット７０をモニター６０の背面の平面台部７５に取り付ける。
【００２９】
このとき、第１のブラケット７０の腕部７２がＬ字状に屈曲されているので、このブラケット７０の先端部は、支柱２０の中心軸に対して位置がずらされている（オフセットされている）。このオフセット量は、モニター６０の重心位置によって異なる。このため、モニター６０の重心位置に合わせて腕部７２のオフセット量（屈曲位置）を変化させたブラケット７０が用いられる。
【００３０】
このように第１のブラケット７０をオフセットさせたときに支柱２０の上端にスタンド装着部６２を装着すると、支柱２０の軸上には、モニター６０の重心が配置される。このため、モニター６０の重量によってモニタースタンド６が転倒するように働くモーメントの働きは、小さく抑えられる。そうすると、モニタースタンド６の安定性が増し、台座部２１の脚部２６の中心から先端部までの長さを短くすることができる。したがって、モニタースタンド６に必要な床面積を小さくすることができるとともに、モニタースタンド６の軽量化が図れる。
【００３１】
このようにモニター６０が装着されるスタンド装着部６２に取り付けられる支柱２０の先端（上端）は、モニター装着部として形成され、上述した作業台ユニット３のモニター１５のモニター支持部（モニター装着部）１５ａと同じ構成を有する。このため、このモニター６０は、作業台ユニット３の上面にもスタンド装着部６２を介して同様に装着される。すなわち、スタンド装着部６２ごとモニタースタンド６の上端部から引き抜いて、作業台ユニット３のモニター支持部１５ａにこのスタンド装着部６２を装着することができる。したがって、スタンド装着部６２は、スタンド６と作業台ユニット３との共通の装着ユニットとして使用される。そうすると、スタンド６の上端部から引き抜いたモニター６０は、作業台ユニット３のモニター支持部１５ａに装着される。
【００３２】
例えば、術者が首を動かす負担を減らすため、手術や検査に２つのモニター１５，６０が同時に使用されることがある。これらのモニター１５，６０自体の形状や表示部の大きさが異なる場合であっても、スタンド装着部６２は共通し、モニター１５，６０の重心位置もスタンド装着部６２上に一致する。このため、一方のモニター１５（図２参照）をモニタースタンド６に装着し、他方のモニター６０（図１参照）を作業台ユニット３に装着することができる。
【００３３】
図１に示すように、このようなモニタースタンド６の支柱２０および台座部２１に対応する位置には、それぞれカバー９５，９６が被せられる。支柱２０のカバー９５は、例えば断面が半円形状の２つの部材で形成されている。これら２つの部材は、互いの端部で嵌合されて断面が円形状に形成される。このため、カバー９５の内部でケーブル収納部３０から支柱２０に沿って上方にケーブル４が導かれる。
【００３４】
一方、台座部２１のカバー９６には、５本脚の脚部２６を覆う略星型に形成されている。そして、ケーブル収納部３０の規制棒３３を覆うため、縦断面が台形状に形成されている。なお、このカバー９６の下端には、ケーブル４を外部に導出するための凹部が形成されている。この凹部は、上述したバラスト２８上のブラケット２９に設けられたケーブル導入部３４の位置に対応して配設される。このとき、ケーブル収納部３０は、規制棒３３の内側にケーブル４を収めることができるので、カバー９６とケーブル４との干渉が防止される。すなわち、台座部２１にカバー９６を被せたときに、ケーブル４がカバー９６を外方に付勢することがない。このため、モニタースタンド６の設置時やメンテナンス時にカバー９６を被せるときの作業効率が向上する。また、このスタンド６を用いると、余ったケーブル４がケーブル収納部３０に収納されるので、外観上もすっきりとした状態で手術室（内視鏡検査室）に配置される。なお、カバー９６を取り外してモニタースタンド６を所望の位置に設置するときには、例えば上述した引掛け部材５６にこのカバー９６を引掛けておくと作業が容易となる。
【００３５】
ところで、図８および図９に示すように、モニタースタンド６には、上述したモニター（第１のモニター）６０の他に、さらに他のモニター（第２のモニター）７８が配設されることがある。この第２のモニター７８は、第１のモニター６０の補助的な薄型小型モニターであり、上述したＣＣＵに接続されて第１のモニター６０とは異なる情報が表示される。このため、第１および第２のモニター６０，７８を観察することによって、術者には手術中や検査中に得られる様々な情報が首を大きく動かすことなく認識される。
【００３６】
この第２のモニター７８は、以下に説明する構成によって第１のモニター６０に取り付けられる。
【００３７】
図６に示すように、第１のブラケット７０の腕部７２の先端部近傍の中央部には、後述する他のモニター（第２のモニター）７８を装着するための第２のブラケット８０が取り付けられる２つのネジ穴８１が所定の間隔に設けられている。図１０に示すように、この第２のブラケット８０には、第１のブラケット７０と同様に断面がコ字状の腕部８２が設けられている。この腕部８２は、真直ぐに形成されている。第２のブラケット８０の基端部および先端部には、腕部８２の長手方向に対して直交する方向にそれぞれ羽根状のブラケット装着部８３およびモニター取付部８４が設けられている。この第２のブラケット８０は、腕部８２に対して左右対称的に設けられている。すなわち、ブラケット装着部８３およびモニター取付部８４は、腕部８２に対して対称的に形成されている。
【００３８】
図７に示すように、第２のブラケット８０のコ字状の腕部８２の内周面は、第１のブラケット７０のコ字状の腕部７２の外周面を覆える大きさに形成されている。第２のブラケット８０の腕部８２の基端部には、第１のブラケット７０の腕部７２の先端部の中央部の２つのネジ穴８１（図６参照）に一致する２つのネジ穴９２（図１１参照）が形成されている。
【００３９】
図１０に示すように、第２のブラケット８０の基端部の１対のブラケット装着部８３には、腕部８２の長手方向に対して直交する方向にそれぞれ突出腕部８５が設けられている。これら突出腕部８５は、腕部８２と同じコ字状に形成されている。これら突出腕部８５の先端には、第１のブラケット７０の断面がコ字状の腕部７２の先端および腕部７２の開口７２ａに引掛けられるタブ８６（図７参照）がそれぞれ設けられている。このため、第１のブラケット７０の腕部７２の外周には、第２のブラケット８０の腕部８２の向きを第１のブラケット７０の腕部７２に対して沿う方向および直交する方向に変えることによって、第２のブラケット８０の腕部８２および突出腕部８５をそれぞれ重ねることが可能である。すなわち、第２のブラケット８０の先端部を第１のブラケット７０の上方または側方に配置することができる。
【００４０】
この第２のブラケット８０の先端部のモニター取付部８４は、第２のモニター７８の背面にネジ８８によって取り付けられる。このモニター７８の背面には、正方形状の四隅にネジ穴が設けられている。第２のブラケット８０の先端部のモニター取付部８４には、モニター７８の背面のネジ穴に対応してネジ穴（図示せず）が形成されている。
【００４１】
図１０に示すように、第１のモニター６０の上方に第２のモニター７８を配置する場合には、第１のブラケット７０の先端部の腕部７２の中央部のネジ穴８１と、第２のブラケット８０の基端部の腕部８２のネジ穴９２（図１１参照）とを一致させる。このとき、第１のブラケット７０の腕部７２に第２のブラケット８０の腕部８２が重ね合わせられる（嵌合する）。このため、第１のブラケット７０に第２のブラケット８０を取り付けたときの安定性が向上する。この状態で、２つのネジ穴８１，９２にネジ９０を螺合させて第１のブラケット７０の先端部に第２のブラケット８０の基端部を取り付ける。
【００４２】
そして、第２のブラケット８０の先端部のモニター取付部８４に第２のモニター７８をネジ８８でネジ止めして取り付ける。そうすると、図８に示すように、第１のモニター６０の上側に第２のモニター７８が配置される。
【００４３】
次に、図９および図１１に示すように、第１のモニター６０の側方に第２のモニター７８を配置する場合について説明する。
【００４４】
第１のブラケット７０の先端部の腕部７２に第２のブラケット８０の突出腕部８５を合わせるとともに、一方の突出腕部８５のタブ８６を第１のブラケット７０の腕部７２の先端に当接させる（図７参照）。他方の突出腕部８５のタブ８６を第１のブラケット７０の腕部７２の開口７２ａに合わせて配置する。そして、第１のブラケット７０の腕部７２の中央部に設けられたネジ穴８１と、第２のブラケット８０のブラケット装着部８３に設けられたネジ穴９３（図１０参照）とを一致させる。このとき、第１のブラケット７０の腕部７２に第２のブラケット８０の突出腕部８５が重ね合わせられる（嵌合する）。また、第２のブラケット８０の突出腕部８５の一方のタブ８６が第１のブラケット７０の腕部７２の先端部に当接されるとともに、他方のタブ８６が第１のブラケット７０の腕部７２の開口７２ａの縁部に当接される。このため、第１のブラケット７０に第２のブラケット８０を取り付けたときの安定性が向上する。この状態で、２つのネジ穴８１，９３にネジ９０を螺合させて第１のブラケット７０の先端部に第２のブラケット８０の基端部を取り付ける。
【００４５】
そして、第２のブラケット８０の先端部のモニター取付部８４に第２のモニター７８をネジ８８でネジ止めして取り付ける。このとき、第２のモニター７８の背面のネジ穴は、正方形状の四隅にあるので、第２のモニター７８は、横方向が縦方向に対して長い状態で装着される。そうすると、第１のモニター６０の側方に第２のモニター７８が配置される。
【００４６】
なお、この実施の形態では、第１のモニター６０を正面から見て左側に第２のモニター７８を配置する構成を説明したが、第２のブラケット８０を１８０度回転させて反対に取り付けると、第１のモニター６０を正面から見て右側に取り付けることができる。
【００４７】
すなわち、第２のブラケット８０を第１のブラケット７０に対して取り付ける向きを考慮すると、第１のモニター６０に対して第２のモニター７８の位置を上方および左右（側方）に適宜に選択することができる。
【００４８】
以上説明したように、この実施の形態によれば、以下の効果が得られる。
ケーブル４を台座部２１のカバー９６の凹部からケーブル導入部３４、ケーブル収納部３０を介して支柱２０の軸方向上方に向かって導く。このとき、ケーブル収納部３０でケーブル４の余った分の多くが巻装収納される。このため、ケーブル４の余った長さ分をモニタースタンド６の外部に配置することを防止することができる。したがって、手術や検査などの作業を行なうときにケーブル４が邪魔になることを防止することができる。そうすると、作業台ユニット３とモニタースタンド６との間の外観もすっきりとさせることができる。
【００４９】
また、ケーブル収納部３０がカバー９６で覆われるが、ケーブル４が規制棒３３によって位置規制されているので、このカバー９６とケーブル４とが干渉する（内側からケーブル４でカバー９６を外方に押す）ことがない。このため、モニタースタンド６の設置時やメンテナンス時に台座部２１にカバー９６を被せるときの作業効率を向上させることができる。
【００５０】
また、支柱２０の外周にもカバー９５を設け、カバー９５と支柱２０との間にケーブル４を通すことによって、外観上すっきりさせることができる。また、モニター６０，７８からケーブル４を外したとしても、カバー９５と支柱２０との間にケーブル４が配設されるので、ケーブル４のコネクタを落としたり、踏みつけてしまうなど、損傷させることを防止することができる。
【００５１】
また、モニタースタンド６の取手部４０を患者が観察するモニター４４や血圧計５０の取り付け台としたので、これらの器具４４，５０を配置するためのスペースをより小さくすることができる。また、断面矩形状のアーム４１の下面や、断面がコ字状のアーム４１の内周面をケーブル４の収納部として用いることができるので、外観上すっきりさせることができる。
【００５２】
さらに、モニター６０がモニタースタンド６に支持されるときに、モニター６０の重心位置をモニタースタンド６の中心軸上（真上）としたので、モニタースタンド６が転倒するモーメントの発生を低下させることができる。このため、モニタースタンド６が占める床面積を縮小することができるとともに、軽量化を図ることができる。
【００５３】
このとき、モニター６０のスタンド装着部６２をモニタースタンド６と作業台ユニット３とで共通化し、作業台ユニット３のモニター装着部（モニター支持部）１５ａと同じ形状を有するモニター装着部をモニタースタンド６に設けたので、形状や重量などが異なるモニターであっても、モニタースタンド６や作業台ユニット３に付け替えることができる。すなわち、術者は、所望のモニターをモニタースタンド６や作業台ユニット３に装着して使用することができる。
【００５４】
そして、モニタースタンド６に互いに近接した２つのモニター６０，７８を装着することができるようにしたので、術者が手術中や検査中に大きく首を動かすことなく、モニター６０，７８に表示された様々な情報を認識することができる。
【００５５】
なお、この実施の形態では、第２のモニター７８を第１のモニター６０の上方または側方に１つ装着する構成を説明したが、第２のブラケット８０にさらにブラケットを取り付けることによって、第１のモニター６０の近傍にさらにモニターを配設することができる。このとき、第２のブラケット８０に２つのモニターを取り付けることができるようにしても良い。
【００５６】
また、この実施の形態では、モニター６０の下側に共通のユニットを装着した構成を説明したが、もちろん、支柱２０の上端にモニター６０を受ける共通のユニットを構成しても良い。
【００５７】
これまで、一実施の形態について図面を参照しながら具体的に説明したが、この発明は、上述した実施の形態に限定されるものではなく、その要旨を逸脱しない範囲で行なわれるすべての実施を含む。
【００５８】
上記説明によれば、下記の事項の発明が得られる。また、各項の組み合わせも可能である。
【００５９】
［付記］
（付記項１）  軸状の支柱の上端部に表示装置、下端部に台座部が配置されたモニタースタンドを設け、
前記台座部にケーブルを収納するケーブル収納部を設けたことを特徴とする医療用検査装置。
【００６０】
（付記項２）  前記モニタースタンドは、前記支柱の中途部に手掛け用の取っ手部を有し、
前記取っ手部に周辺機器の支持部を兼用させたことを特徴とする付記項１に記載の医療用検査装置。
【００６１】
（付記項３）  前記モニタースタンドは、異なる場所に配置される医療用検査装置の作業台ユニットのモニター装着部に着脱可能に装着されるモニターが共通に装着可能なモニター装着部を有することを特徴とする付記項１に記載の医療用検査装置。
【００６２】
（付記項４）  前記モニタースタンドは、前記支柱の軸心上に前記表示装置の重心位置を配置したことを特徴とする付記項１に記載の医療用検査装置。
【００６３】
（付記項５）  前記モニタースタンドは、前記表示装置の近傍に第２の表示装置を装着する第２の表示装置装着部を設けたことを特徴とする付記項１に記載の医療用検査装置。
【００６４】
【発明の効果】
以上説明したように、この発明によれば、ケーブルの長さが余る場合であっても、ケーブルが邪魔になることを防止する医療用検査装置を提供することができる。
【図面の簡単な説明】
【図１】この発明の一実施の形態に係わる医療用検査装置の構成を示す概略図。
【図２】この発明の一実施の形態に係わる医療用検査装置におけるモニターを装着した作業台ユニットを後方から観察した状態を示す概略図。
【図３】この発明の一実施の形態に係わる医療用検査装置におけるモニタースタンドの基本的な構成を示す概略図。
【図４】この発明の一実施の形態に係わる医療用検査装置におけるモニタースタンドのケーブル収納部にケーブルを巻装した状態を示す概略図。
【図５】この発明の一実施の形態に係わる医療用検査装置におけるモニタースタンドの支柱の取手部に血圧計およびモニターを装着した状態を示す概略図。
【図６】この発明の一実施の形態に係わる医療用検査装置におけるモニタースタンドの支柱の上端部に支持されるモニターの背面を示す概略図。
【図７】この発明の一実施の形態に係わる医療用検査装置におけるモニターに２つのブラケットを装着した状態を示す概略的な上面図。
【図８】この発明の一実施の形態に係わる医療用検査装置における第１のモニターの上方に第２のモニターを配設した状態を示すモニタースタンドの斜視図。
【図９】この発明の一実施の形態に係わる医療用検査装置における第１のモニターの正面から見て左側に第２のモニターを配置した状態を示すモニタースタンドの斜視図。
【図１０】この発明の一実施の形態に係わる医療用検査装置における第１のモニターの上方に第２のモニターを装着した状態を示す背面図。
【図１１】この発明の一実施の形態に係わる医療用検査装置における第１のモニターの正面から見て左側に第２のモニターを配置した状態を示す背面図。
【符号の説明】
４…ケーブル、６…モニタースタンド、２０…支柱、２１…台座部、２５…キャスター、２６…脚部、２８…バラスト、２９…ブラケット、３０…ケーブル収納部、３１…スペース、３３…規制棒、３４…ケーブル導入部、４０…取手部、４１…アーム、４２…リング、４３…ネジ穴
【図１】
2004337443.tif 000003
【図２】
2004337443.tif 000004
【図３】
2004337443.tif 000005
【図４】
2004337443.tif 000006
【図５】
2004337443.tif 000007
【図６】
2004337443.tif 000008
【図７】
2004337443.tif 000009
【図８】
2004337443.tif 000010
【図９】
2004337443.tif 000011
【図１０】
2004337443.tif 000012
【図１１】
2004337443.tif 000013